(57)【特許請求の範囲】
【請求項１】
便座又は便蓋よりなる便器上面部材を支持体に対し起倒方向回動可能に取り付けてなる便器上面設備であって、便器上面部材のヒンジ部が磁石の磁力によって支持体に対し保持されている便器上面設備において、
該ヒンジ部に、ヒンジ部の回動軸心線と垂直な第１の端面が設けられ、支持体に該第１の端面と対面する第２の端面が設けられ、
第１の端面及び第２の端面の一方に磁石が設けられ、他方に該磁石と磁気的に吸引する磁性材が設けられており、
該磁石と該磁性材との吸引力によりヒンジ部が支持体に保持されていることを特徴とする便器上面設備。
【請求項２】
請求項１において、支持体の上面の中央部に凸部が設けられ、該凸部の左右両側に便座のヒンジ部が配置され、
該便座のヒンジ部の左右の外側にそれぞれ便蓋のヒンジ部が配置され、
該凸部と便座のヒンジ部とが磁石によって磁気的に吸引し合い、便座のヒンジ部と便蓋のヒンジ部とが磁石によって磁気的に吸引し合っていることを特徴とする便器上面設備。
【請求項３】
請求項２において、
前記支持体の凸部の端部に磁石が設けられ、便座のヒンジ部の便座幅方向の中央側を向く内向き部に金属片が設けられ、外向き部に磁石が設けられ、
便蓋のヒンジ部の内向き部に金属片が設けられていることを特徴とする便器上面設備。
【請求項４】
便座又は便蓋よりなる便器上面部材を支持体に対し起倒方向回動可能に取り付けてなる便器上面設備であって、便器上面部材のヒンジ部が磁石の磁力によって支持体に対し保持されている便器上面設備において、
該ヒンジ部は、便器上面部材が回動するときに支持体の外周面に沿って摺動するように支持体に係合しており、
該支持体の内部に磁石が設けられ、該ヒンジ部の周方向の複数箇所に、又は周方向に延在するように、該磁石と磁気的に吸引する磁性材が設けられていることを特徴とする便器上面設備。
【請求項５】
請求項４において、前記ヒンジ部が半円弧形状であり、支持体には、ヒンジ部の摺動を案内する案内溝が設けられていることを特徴とする便器上面設備。
【請求項６】
請求項５において、支持体の上部は軸心方向が便器の左右幅方向に延在する円柱形のコラム部となっており、該コラム部の軸心位置に円柱状の磁石がコラム部と同軸状に設けられており、
ヒンジ部の少なくとも周方向の一端側及び他端側にそれぞれ金属片が設けられていることを特徴とする便器上面設備。
【発明の詳細な説明】
【技術分野】
【０００１】
本発明は、便座又は便蓋の基端部が便座ボックス、ロータンクカバー等の支持体に対し回動可能に支持されている便器上面設備に係り、特に磁石により便座又は便蓋が支持体に着脱可能に支持されている便器上面設備に関する。
【背景技術】
【０００２】
トイレに設置された洋風便器の上面の便座や便蓋は、通常の場合、便座ボックスやロータンクカバー等の支持体に対しヒンジ軸によって起倒方向回動可能に取り付けられている。このようにヒンジ軸によって便座や便蓋を便座ボックス等に取り付けた場合、便座や便蓋を取り外すことは容易ではなく、便座や便蓋を丸洗いすることは困難であった。
【０００３】
特表２００９−５２８１０７（特許文献１）には、磁石によって便座のジャーナルをＣ字形の軸受面に回動可能且つ着脱可能に保持させることが記載されている。第７図（ａ）は、同号公報のＦＩＧ．６を示すものであり、Ｃ字形の軸受面に沿って磁石６が設置されている。便座２のジャーナルに磁石５が設けられている。磁石５，６の磁気的吸引力によりジャーナルが軸受面に保持される。
【０００４】
しかしながら、この第７図（ａ）の構造では、磁石５を設けた１箇所のみが磁気的吸引力により軸受面に強く押し付けられるので、便座２を上方に持ち上げたときに、第７図（ｂ）の矢印Ｆのように磁石５付近を回動中心としてジャーナルが持ち上げられるように回動してしまい、便座２が軸受から外れるおそれがある。
【０００５】
また、特許文献１のＦＩＧ．２，３には、第８図に示すように、ジャーナルの空洞２０１内に磁石５を設けた構造が示されているが、磁石５が磁石６と少しでもズレると、ジャーナルが外れてしまうので、到底実用には供し難い。
【先行技術文献】
【特許文献】
【０００６】
【特許文献１】特表２００９−５２８１０７
【発明の概要】
【発明が解決しようとする課題】
【０００７】
本発明は、便座又は便蓋が磁力によって便座ボックス等よりなる支持体に対し、安定して回動可能に支持された便器上面設備を提供することを目的とする。
【課題を解決するための手段】
【０００８】
本発明（請求項１）の便器上面設備は、便座又は便蓋よりなる便器上面部材を支持体に対し起倒方向回動可能に取り付けてなる便器上面設備であって、便器上面部材のヒンジ部が磁石の磁力によって支持体に対し保持されている便器上面設備において、該ヒンジ部に、ヒンジ部の回動軸心線と垂直な第１の端面が設けられ、支持体に該第１の端面と対面する第２の端面が設けられ、第１の端面及び第２の端面の一方に磁石が設けられ、他方に該磁石と磁気的に吸引する磁性材が設けられており、該磁石と該磁性材との吸引力によりヒンジ部が支持体に保持されていることを特徴とするものである。
【０００９】
請求項２の便器上面設備は、請求項１において、支持体の上面の中央部に凸部が設けられ、該凸部の左右両側に便座のヒンジ部が配置され、該便座のヒンジ部の左右の外側にそれぞれ便蓋のヒンジ部が配置され、該凸部と便座のヒンジ部とが磁石によって磁気的に吸引し合い、便座のヒンジ部と便蓋のヒンジ部とが磁石によって磁気的に吸引し合っていることを特徴とするものである。
【００１０】
請求項３の便器上面設備は、請求項２において、前記支持体の凸部の端部に磁石が設けられ、便座のヒンジ部の便座幅方向の中央側を向く内向き部に金属片が設けられ、外向き部に磁石が設けられ、便蓋のヒンジ部の内向き部に金属片が設けられていることを特徴とするものである。
【００１１】
本発明（請求項４）の便器上面設備は、便座又は便蓋よりなる便器上面部材を支持体に対し起倒方向回動可能に取り付けてなる便器上面設備であって、便器上面部材のヒンジ部が磁石の磁力によって支持体に対し保持されている便器上面設備において、該ヒンジ部は、便器上面部材が回動するときに支持体の外周面に沿って摺動するように支持体に係合しており、該支持体の内部に磁石が設けられ、該ヒンジ部の周方向の複数箇所に、又は周方向に延在するように、該磁石と磁気的に吸引する磁性材が設けられていることを特徴とするものである。
【００１２】
請求項５の便器上面設備は、請求項４において、前記ヒンジ部が半円弧形状であり、支持体には、ヒンジ部の摺動を案内する案内溝が設けられていることを特徴とするものである。
【００１３】
請求項６の便器上面設備は、請求項５において、支持体の上部は軸心方向が便器の左右幅方向に延在する円柱形のコラム部となっており、該コラム部の軸心位置に円柱状の磁石がコラム部と同軸状に設けられており、ヒンジ部の少なくとも周方向の一端側及び他端側にそれぞれ金属片が設けられていることを特徴とするものである。
【発明の効果】
【００１４】
請求項１の便器上面設備にあっては、ヒンジ部の端面と支持体の端面とが磁気的に吸引し合うことによりヒンジ部が支持体に回動可能に保持されている。各端面は、ヒンジ部の回動軸心と垂直であるので、ヒンジ部が回動してもヒンジ部に対して支持体から外れる方向に力は加えられない。なお、便器上面部材を支持体に対し容易に着脱できる。
【００１５】
請求項２の便器上面設備にあっては、便座及び便蓋のいずれも着脱が容易である。この請求項２の態様では、支持体の上面の中央部に凸部を設け、該凸部の左右両側に便座のヒンジ部を配置し、該便座のヒンジ部の左右の外側にそれぞれ便蓋のヒンジ部を配置している。これにより、支持体の上面の凹凸（例えば各ヒンジ部が係合する凹所等の個数）を少なくすることができるので、支持体上面の清掃を容易に行うことができるようになり、清掃性が向上する。
【００１６】
請求項３の便器上面設備にあっては、便蓋のヒンジ部には磁石に比べて軽量な鉄片などの金属片が設けられているので、便蓋の着脱が容易である。また、鉄片などの金属片は磁石に比べて安価であるので、便器上面設備のコストダウンを図ることもできる。
【００１７】
請求項４の便器上面設備は、ヒンジ部の周方向の複数箇所に、又はヒンジ部の周方向に延在するように磁性材が設けられているので、便器上面部材を回動させたときにヒンジ部が支持体から離脱することなく、支持体周方向にスムーズに回動する。なお、この便器上面設備にあっても、便器上面部材を支持体に対し容易に着脱できる。
【００１８】
請求項５の便器上面設備によるとヒンジ部の左右方向の位置決めがなされる。
【００１９】
請求項６の便器上面設備によると、ヒンジ部に磁石を挟んで対峙するように少なくとも２個の金属片が設けられているので、ヒンジ部が支持体に対ししっかりと保持される。
【図面の簡単な説明】
【００２０】
【図１】（ａ）図は第１の実施の形態に係る便器上面設備を示す斜視図、（ｂ）図は（ａ）図及び（ｃ）図のＢ−Ｂ線に沿う断面図、（ｃ）図は（ｂ）図のＣ−Ｃ線断面図、（ｄ）図は（ｂ）図のＤ−Ｄ線断面図、（ｅ）図は（ｂ）図のＥ−Ｅ線断面図、（ｆ）図は（ｂ）図のＦ−Ｆ線断面図である。
【図２】図１の便器上面設備の分解斜視図である。
【図３】図１の便器上面設備の回動動作を示す分解斜視図である。
【図４】（ａ）図は第２の実施の形態に係る便器上面設備を示す斜視図、（ｂ）図は（ａ）図及び（ｃ）図のＢ−Ｂ線に沿う断面図、（ｃ）図は（ｂ）図のＣ−Ｃ線断面図、（ｄ）図は（ｂ）図のＤ−Ｄ線断面図である。
【図５】図４の便器上面設備の分解斜視図である。
【図６】図４の便器上面設備の回動動作を示す断面図である。
【図７】従来の便器上面設備の断面図である。
【図８】別の従来の便器上面設備の断面図である。
【発明を実施するための形態】
【００２１】
以下、図面を参照して実施の形態について説明する。
【００２２】
＜第１の実施の形態＞
第１図〜第３図は第１の実施の形態を示すものであり、便座１０及び便蓋２０の基端部が支持体３０に対し、磁石３５又は１４と鉄片１３又は２３との間の磁気的吸引力によって支持されている。
【００２３】
人が腰掛ける（着座する）ための便座１０は、第２図の通り、便鉢（図示略）の上面周部を周回する環形状の本体部１１と、該本体部１１の後縁から後方に突出したヒンジ部１２とを有する。ヒンジ部１２は、本体部１１の後縁の左端側及び右端側にそれぞれ設けられている。なお、ヒンジ部１２は、本体部１１の後縁の左端及び右端よりも若干（後述の便蓋２０のヒンジ部２２の左右幅分だけ）、該後縁の左右幅方向の中央側に寄った位置に設けられている。各ヒンジ部１２は、軸心方向を該便座１０の左右幅方向（便器の左右幅方向すなわち便座１０に使用姿勢にて着座した人にとって左右方向）とした円柱形である。
【００２４】
このヒンジ部１２，１２の相対峙する内向きの端面すなわち便座１０の左右幅方向中央側の端面１２ａ，１２ａ部分に、磁石と磁気的に吸引する強磁性片としての鉄片１３が埋設されている。この実施の形態では、鉄片１３は円板形であり、円板の板面を端面１２ａと平行にして、且つ円板の中心がヒンジ部１２の軸心に位置するように設置されている。
【００２５】
円柱形ヒンジ部１２の外向きの端面すなわち端面１２ａと反対側の端面１２ｂ側に磁石（この実施の形態では永久磁石）１４が埋設されている。この磁石１４は円柱形であり、円柱の軸心がヒンジ部１２の軸心と同軸となるように設けられている。磁石１４は、一端面側がＮ極となり、他端面側がＳ極となるように着磁されている。
【００２６】
この便座１０は、鉄片１３及び磁石１４を除いてポリプロピレン等の合成樹脂製とされているが、材料はこれに限定されない。また、便座ヒータやゴム足などの付属品が設けられてもよい。
【００２７】
便座１０に重なって便器上に倒伏して便鉢に蓋をするための便蓋２０は、蓋板状の本体部２１と、該本体部２１の後縁から後方に突出したヒンジ部２２とを有する。ヒンジ部２２は、本体部２１の後縁の左端部及び右端部にそれぞれ設けられている。各ヒンジ部２２は、軸心方向を該便蓋２０の左右幅方向とした短い円柱形である。このヒンジ部２２の直径は前記ヒンジ部１２の直径と同一である。
【００２８】
ヒンジ部２２，２２の相対峙する内向きの端面すなわち便蓋２０の左右幅方向中央側の端面２２ａ，２２ａ部分に、磁石と磁気的に吸引する強磁性片としての鉄片２３が埋設されている。この実施の形態では、鉄片２３は円板形であり、円板の板面を端面２２ａと平行にして、且つ円板の中心がヒンジ部２２の軸心に位置するように設置されている。
【００２９】
この便蓋２０は、鉄片２３を除いてポリプロピレン等の合成樹脂製とされているが、材料はこれに限定されない。
【００３０】
支持体３０は、便器の左右幅方向に延在しており、その延在方向の中央部には、上方に突出する凸部３１が設けられている。凸部３１の便器左右幅方向の長さは、ヒンジ部１２，１２間の距離と略同一である。
【００３１】
この凸部３１の左側及び右側には、それぞれ支持体３０の長手方向すなわち便器の左右幅方向に延在する半円筒形の凹条３２が設けられている。この半円筒形状の凹条３２の曲率半径は、ヒンジ部１２，２２の外周円の曲率半径と同一である。ヒンジ部１２，２２はこの凹条３２に係合している。便座１０及び便蓋２０が起倒回動するときには、ヒンジ部１２，２２の外周面と凹条３２の半円筒面とが摺動する。
【００３２】
支持体３０の下端部からは、便器前方側及び後方側にそれぞれフランジ部３３，３４が延出しており、フランジ部３４に設けられたボルト孔（図示略）に挿通されたボルト（図示略）によって支持体３０が便器に固定される。これらのフランジ部３３，３４の少なくとも一方は、省略されてもよい。
【００３３】
凸部３１の便器左右幅方向の両側の端面３１ａ，３１ａ部分に磁石（この実施の形態では永久磁石）３５が埋設されている。磁石３５は磁石１４と同様に円柱形であり、円柱の軸心が磁石１４と同軸となるように配置されている。磁石３５は、一端面側がＮ極となり、他端面側がＳ極となるように着磁されている。磁石１４のＮＳの方向と磁石３５のＮＳの方向は同一であることが望ましい。
【００３４】
第１図（ａ）及び第３図の通り、ヒンジ部１２の内向きの端面１２ａを凸部３１の端面３１ａに対面させ、ヒンジ部１２の外向きの端面１２ｂにヒンジ部２２の内向きの端面２２ａを対面させ、且つヒンジ部１２，２２の外周面を凹条３２に係合させるようにして便座１０及び便蓋２０が支持体３０に支持されている。そして、磁石３５と鉄片１３とが磁気的吸引力により引き合い、磁石１４と鉄片２３とが磁気的吸引力により引き合うことにより、便座１０及び便蓋２０が支持体３０に保持される。
【００３５】
便蓋２０を上方に引くことにより該便蓋２０を支持体３０から取り外すことができ、さらに便座１０を上方に引くことにより、該便座１０を支持体３０から取り外すことができる。取り外した便座１０、便蓋２０は第２図のようにして簡単に支持体３０に再装着することができる。
【００３６】
便座１０及び便蓋２０は、第３図の矢印ａ，ｂの通り起倒方向に回動可能である。このように便座１０、便蓋２０が回動する場合、ヒンジ部１２，２２の外周面が凹条３２と摺動する。便座１０のみが回動する場合には端面１２ａ，３１ａ及び端面１２ｂ，２２ａがそれぞれ摺動し、便蓋２０のみが回動する場合には、端面１２ｂ，２２ａが摺動する。
【００３７】
なお、左側及び右側の端面１２ａ，３１ａがそれぞれ摺動し、左側及び右側の端面１２ｂと端面２２ａとがそれぞれ摺動することが望ましいが、製作上の誤差や、部材の熱膨張などを考慮すると、左右いずれか一方の端面１２ａ，３１ａ間及び左右いずれか一方の端面１２ｂ，２２ａ間にそれぞれ若干（例えば１〜２ｍｍ程度）の隙間があくのが好ましい。ただし、端面同士の間に、弾力性と高摺動性を兼ね備えたパッキンを介在させ、上記の隙間を埋めるようにしてもよい。
【００３８】
この便器上面設備においては、便蓋２０のヒンジ部２２には鉄片２３が埋設されているので、磁石１４をヒンジ部２２に埋設する場合に比べてヒンジ部２２の重量が軽減され、便蓋２０の着脱が容易である。また、便座１０のヒンジ部１２に、鉄片１３を埋設し、この鉄片１３と引き合う磁石３５を支持体３０に設けているので、便座２０の重量も軽減され、便座２０の着脱も容易である。
【００３９】
鉄片は磁石よりも安価であるので、鉄片を用いることにより便器上面設備のコストダウンを図ることができる。
【００４０】
＜第２の実施の形態＞
第４図〜第６図は第２の実施の形態を示すものであり、便座４０及び便蓋５０の基端部が支持体６０に鉄片４３，４４，５３，５４と磁石６８との間の磁気的吸引力によって支持されている。
【００４１】
便座４０は、第５図の通り、便鉢の上面周部を周回する環形状の本体部４１と、該本体部４１の後縁から後方に突出したヒンジ部４２とを有する。ヒンジ部４２は、本体部４１の後縁の中央部を挟んで左側及び右側にそれぞれ設けられている。なお、ヒンジ部４２は、本体部４１の後縁の左端及び右端よりも所定距離離隔した位置に設けられている。
【００４２】
第４図（ｄ）の通り、各ヒンジ部４２は、半割円筒形であり、この円筒の軸心方向を該便座４０の左右幅方向としている。各ヒンジ部４２の周方向の一端側（基端側）が本体部４１の後縁に連なっている。各ヒンジ部４２の先端側及び基端側（本体部４１側）にそれぞれ、磁石と磁気的に吸引する強磁性片としての鉄片４３，４４が埋設されている。この実施の形態では、鉄片４３，４４は小板形であり、板面をヒンジ部４２の内周面に沿わせている。この便座４０は、鉄片４３，４４を除いてポリプロピレン等の合成樹脂製とされているが、材料はこれに限定されない。また、便座ヒータやゴム足などの付属品が設けられてもよい。
【００４３】
便蓋５０は、蓋板状の本体部５１と、該本体部５１の後縁から後方に突出したヒンジ部５２とを有する。ヒンジ部５２は、本体部２１の後縁の左端近傍部及び右端近傍部にそれぞれ設けられている。各ヒンジ部５２は、半円弧状であり、軸心方向を該便蓋５０の左右幅方向としている。各ヒンジ部５２の周方向の一端側（基端側）が本体部５１の後縁に連なっている。
【００４４】
ヒンジ部５２の先端側及び基端側（本体部５１側）に、それぞれ、磁石と磁気的に吸引する強磁性片としての鉄片５３，５４が埋設されている。この実施の形態では、鉄片５３，５４は小板形であり、板面をヒンジ部５２の内周面に沿わせている。この便蓋５０は、鉄片５３，５４を除いてポリプロピレン等の合成樹脂製とされているが、材料はこれに限定されない。
【００４５】
支持体６０は、便器の左右幅方向に延在する略円柱状のコラム部６１と、該コラム部６１の下面部の前部に連なる基台状部６６と、該基台状部６６の下部から前方に延出するフランジ部６２及び後方に延出するフランジ部６３と、コラム部６１の前面から頂面及び後面を経て下面部にまで周方向に延在する案内溝６４，６４及び案内溝６５，６５と、コラム部６１内に埋設された磁石６８とを備えている。
【００４６】
案内溝６４，６４は、コラム部６１の左右両端近傍に設けられており、案内溝６５，６５は、コラム部６１の各案内溝６４，６４よりも中央部側に位置している。
【００４７】
案内溝６４，６４は、ヒンジ部５２，５２を案内するためのものであり、案内溝６５，６５はヒンジ部４２，４２を案内するためのものである。
【００４８】
磁石６８は、短い円柱形であり、コラム部６１の軸心位置且つ各案内溝６４，６４，６５，６５の位置にそれぞれコラム部６１と同軸状に配置されている。円柱形の磁石６８は、一端側がＮ極、他端側がＳ極となるように着磁されている。各磁石６８のＮＳの方向は同一であることが望ましい。
【００４９】
第５図の通り、ヒンジ部４２を案内溝６５に係合させるようにして便座４０が支持体６０に連繋され、ヒンジ部５２を案内溝６４に係合させるようにして便蓋５０が支持体６０に連繋されることにより、第４図の便器上面設備が構成される。ヒンジ部４２，５２に設けられた鉄片４３，４４，５３，５４がそれぞれ磁石６８と引き付け合うことにより、ヒンジ部４２，５２が支持体６０に回動可能に保持される。
【００５０】
１対の鉄片４３，４４及び鉄片５３，５４がそれぞれ磁石６８を挟んで反対側に位置し、且つ鉄片４３，４４が磁石６８から等距離に位置し、鉄片５３，５４が磁石６８から等距離に位置しているので、ヒンジ部４２，５２の先端側（鉄片４３，５３側）と基端側（鉄片４４，５４側）がそれぞれ同一の力で各案内溝６５，６４に押し付けられる。この結果、便蓋５０は、第４図（ｃ）の倒伏状態と第６図（ａ）の起立姿勢との間でスムーズに回動する。また、便座４０も、第４図（ｄ）の倒伏状態と第６図（ｂ）の起立姿勢との間でスムーズに回動する。便座４０及び便蓋５０が倒伏回動するとき及び起立回動するときのいずれにおいても、ヒンジ部４２，５２は案内溝６５，６４に沿ってスムーズに摺動し、案内溝６５，６４から離反して外れることはない。
【００５１】
鉄片４３，４４又は鉄片５３，５４と磁石６８との磁気的吸引力を上回る力で便座４０又は便蓋５０のヒンジ部４２又は５２にコラム部６１から離反する方向に力を加えることにより、便座４０又は便蓋５０を取り外すことができる。支持体６０から取り外した便座４０や便蓋５０は、第５図のようにして容易に支持体６０に再装着することができる。
【００５２】
この実施の形態では、ヒンジ部４２，５２がそれぞれの案内溝６５，６４に係合しており、ヒンジ部４２，５２の左右方向の位置ズレが確実に防止される。
【００５３】
上記実施の形態は本発明の一例であり、本発明は図示以外の形態とされてもよい。例えば、上記実施の形態では支持体が独立した１個の部材となっているが、便座ボックスやロータンクカバーの一部として設けられてもよい。
【００５４】
また、第４図〜第６図の実施の形態では、１個のヒンジ部４２又は５２の先端側及び基端側に合計２個の鉄片４３，４４又は鉄片５３，５４が設けられているが、鉄片４３，４４同士の間又は鉄片５３，５４同士の間にさらに１個又は複数個の鉄片が設けられてもよい。また、鉄片はヒンジ部４２又は５２の先端側から基端側まで連続して設けられてもよい。
【００５５】
上記実施の形態では磁石と吸引しあうように鉄片を設けているが、鉄片の代りに磁石を用い、磁石同士の吸引力でヒンジ部を支持体に保持させてもよい。
【００５６】
また、上記実施の形態では永久磁石を用いているが、電磁石を用いてもよい。
【００５７】
なお、第１図〜第３図の実施の形態において、磁石１４又は３５を支持体３０又はヒンジ部１２に対し回転可能に埋設してもよい。そのためには、例えば磁石１４又は３５をベアリングを介して支持体３０又はヒンジ部１２内に設置すればよい。
【符号の説明】
【００５８】
１０，４０  便座
１２，４２  ヒンジ部
２０，５０  便蓋
２２，５２  ヒンジ部
３０，６０  支持体
１４，３５，６８  磁石
１３，２３，４３，４４，５３，５４  鉄片
【図１】
0005397258.tif 000002
【図２】
0005397258.tif 000003
【図３】
0005397258.tif 000004
【図４】
0005397258.tif 000005
【図５】
0005397258.tif 000006
【図６】
0005397258.tif 000007
【図７】
0005397258.tif 000008
【図８】
0005397258.tif 000009